【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
積層造形技術を用いて、粉体材料が配置される造形可能領域のうち、第１の液体材料を第１の領域に供給し、前記第１の領域の前記粉体材料を硬化させることで、溶媒により溶解されない非溶性の第１の部分を形成し、
積層造形技術を用いて、前記造形可能領域のうち、前記第１の液体材料とは異なる、第２の液体材料を、前記第１の領域に囲まれるように設けられた第２の領域の前記粉体材料に供給し、前記第２の領域の前記粉体材料を硬化させることで、前記溶媒により溶解され得る可溶性の第２の部分を形成し、
前記第２の部分を前記溶媒により溶解させる
造形物の製造方法。
【請求項２】
請求項１に記載の造形物の製造方法であって、
前記第２の部分を前記溶媒により溶解させる前に、さらに、
造形の対象となる対象物の３次元画像データに基づき、前記造形物のうち前記第１及び前記第２の部分とは異なる第３の部分を形成するための成形型を形成し、
前記成形型と、前記形成された、前記第１の部分及び前記第２の部分を含む硬化物との間に、前記粉体材料とは異なる材料を供給し、これを硬化させることで、少なくとも前記第１の部分の一部を覆う前記第３の部分を形成する
造形物の製造方法。
【請求項３】
請求項２に記載の造形物の製造方法であって、
前記第３の部分を形成するための材料は、可視光の透過型の材料である
造形物の製造方法。
【請求項４】
請求項２または３に記載の造形物の製造方法であって、
前記第１の部分は、前記造形の対象となる対象物には含まれない部分に対応するベース部と、前記ベース部上に形成される、前記対象物に含まれる部分に対応する本体部とを有し、
前記第３の部分を形成する工程では、前記成形型により前記本体部が覆われるように前記成形型が前記ベース部に当接した状態で、前記第３の部分を形成する材料を供給する
造形物の製造方法。
【請求項５】
請求項２から４のうちいずれか１項に記載の造形物の製造方法であって、
前記第３の部分が前記第１の部分より柔らかくなるように前記造形物が形成される
造形物の製造方法。
【請求項６】
請求項１から５のうちいずれか１項に記載の造形物の製造方法であって、
前記第１の液体材料は、バインダーを含む液体材料であり、
前記第２の液体材料は、前記バインダーを含まない液体材料である
造形物の製造方法。
【請求項７】
請求項１から６のうちいずれか１項に記載の造形物の製造方法であって、
積層造形技術において、インクジェットヘッドにより前記第１及び前記第２の液体材料を吐出させる
造形物の製造方法。
【請求項８】
積層造形技術を用いて、粉体材料が配置される造形可能領域のうち、第１の液体材料を第１の領域に供給し、前記第１の領域の前記粉体材料を硬化させることで、溶媒により溶解されない非溶性の第１の部分を形成し、
積層造形技術を用いて、前記造形可能領域のうち、前記第１の液体材料とは異なる、第２の液体材料を、前記第１の領域に囲まれるように設けられた第２の領域の前記粉体材料に供給し、前記第２の領域の前記粉体材料を硬化させることで、前記溶媒により溶解され得る可溶性の第２の部分を形成し、
前記第２の部分を前記溶媒により溶解させる
製造方法により製造された造形物。
【手続補正２】
【補正対象書類名】明細書
【補正対象項目名】００３１
【補正方法】変更
【補正の内容】
【００３１】
各ボックス１１、２１及び３１の上部は開口され、それらの開口面は、プレート２の開口部２ａにそれぞれ対面するように配置されている。
【手続補正３】
【補正対象書類名】明細書
【補正対象項目名】００３２
【補正方法】変更
【補正の内容】
【００３２】
プレート２の開口部２ａの供給部１０側の端部付近には、供給部１０から供給された粉体４を造形部２０に搬送するローラ１６が配置されている。ローラ１６は、各ボックス１１、２１及び３１の配列方向とは水平面内で直交する方向、すなわちＸ方向に沿って設けられた回転軸１７を有する。回転軸１７を回転させる図示しないモータも設けられている。プレート２上にはローラ１６をＹ方向に移動させる図示しない機構が設けられている。
【手続補正４】
【補正対象書類名】明細書
【補正対象項目名】００３５
【補正方法】変更
【補正の内容】
【００３５】
移動機構２６は、開口部２ａのＸ方向での両側でＹ方向に沿って延設されたガイドレール２５、これらのガイドレール２５の１つに設けられたＹ軸駆動機構２８、これらのガイドレール２５の間に架け渡されたＸ軸駆動機構２７を有する。Ｘ軸駆動機構２７にプリントヘッド４１がＸ方向に移動可能に接続されている。また、Ｘ軸駆動機構２７は、ガイドレール２５に沿って、Ｙ軸駆動機構２８によりＹ方向に移動可能となっている。Ｘ軸駆動機構２７及びＹ軸駆動機構２８は、ボールネジ機構、ベルト機構、またはラックアンドピニオン機構等により構成されている。
【手続補正５】
【補正対象書類名】明細書
【補正対象項目名】００３９
【補正方法】変更
【補正の内容】
【００３９】
このプリントヘッド４１は、一般的なプリンタ用の構造を備えるものが用いられればよい。例えば、プリントヘッド４１のケース４４内には、複数のインクタンク４５が設けられている。各インクタンク４５は、シアン、マゼンダ及びイエローの各色（以下ＣＭＹという。）のインクを貯溜するタンク４５Ｃ、４５Ｍ及び４５Ｙである。
【手続補正６】
【補正対象書類名】明細書
【補正対象項目名】００４８
【補正方法】変更
【補正の内容】
【００４８】
図５Ｃに示すように、図５Ｃにおいてローラ１６が反時計回りに回転しつつ、白抜きの矢印の方向に移動することにより、供給部１０から供給された粉体４が搬送される。ここで、ローラ１６の回転方向は、ローラ１６を回転自在にして（ローラ１６の回転軸１７にかかる回転力をフリーにして）白抜きの矢印の方向に移動させたとしたときに、ローラ１６と造形部２０との摩擦によりローラ１６が回転するであろう方向に対して逆の方向である。このようなローラ１６の回転により粉体４が搬送されることで、造形部２０の硬化層及び未硬化の粉体層の上面に設けられた間隔に粉体４が充填されて、均一に均された粉体層が形成される。
【手続補正７】
【補正対象書類名】明細書
【補正対象項目名】００４９
【補正方法】変更
【補正の内容】
【００４９】
図５Ｄに示すように、ローラ１６が造形部２０を通過して、過剰な量の粉体４を排出路部材３１から排出する。そしてローラ１６が待機位置まで戻る動作と連動するように、プリントヘッド４１が移動機構２６の駆動により移動しながら、上記着色された画像を描くようにインクを吐出する。この場合、粉体層に水性インク（カラーインク及び透明インク）が浸透し、インクが吐出された部分の粉体４が互いに接着され、硬化層が形成される。
【手続補正８】
【補正対象書類名】明細書
【補正対象項目名】００５２
【補正方法】変更
【補正の内容】
【００５２】
なお、ローラ１６が粉体４を搬送し終えて待機位置に戻った後に、プリントヘッド４１は移動を開始し、インクの吐出を開始させてもよい。しかし、上記のように、ローラ１６の戻り動作の時間帯とプリントヘッド４１の移動動作の時間帯とが重なることにより、処理時間を短縮することができる。
【手続補正９】
【補正対象書類名】明細書
【補正対象項目名】００７１
【補正方法】変更
【補正の内容】
【００７１】
空洞部形成領域２０４'には、一時的に硬化された粉体が詰まっている。図１０Ｃに示した成形工程においては、この空洞部形成領域２０４'にある粉体が、この成形材料に対するマスクあるいはスペーサーとして機能する。図１０Ｃに示す断面図で見ると、骨部（硬質部２０２'）にはその骨部の内側と外側が連通していないように見える。しかし、人間の頭蓋骨は、図８Ｂに示すように少なくとも眼球が収められる穴及び鼻腔を形成するための穴を有する。仮に、空洞部形成領域２０４'に粉体がないと、それらの骨部のそれらの穴を介して成形材料が骨部の内側に浸入することになる。
【手続補正１０】
【補正対象書類名】明細書
【補正対象項目名】００７４
【補正方法】変更
【補正の内容】
【００７４】
溶媒としては、水、エタノールなどが用いられる。溶媒は、これらに限られず、空洞部２０４を形成するための粉体の一時的に硬化した粉体の硬化物を解除でき、空洞部２０４以外の粉体の硬化状態には影響を与えない材料であれば何でもよい。
【手続補正１１】
【補正対象書類名】明細書
【補正対象項目名】００７６
【補正方法】変更
【補正の内容】
【００７６】
また、本実施形態では、図１０Ａに示す、空洞部形成領域２０４'を含む硬化物２１０が、積層造形技術により一度に形成されるので、容易に空洞部２０４を形成することができ、製造時間の短縮化にも寄与する。
【手続補正１２】
【補正対象書類名】明細書
【補正対象項目名】００７７
【補正方法】変更
【補正の内容】
【００７７】
上述のように医者等のユーザーは、造形物の内部の構造が容易に把握できるので、本技術は、手術のシミュレーションや患者への説明等に有用である。
【手続補正１３】
【補正対象書類名】明細書
【補正対象項目名】００８３
【補正方法】変更
【補正の内容】
【００８３】
そして、図１７に示すように成形型３０５の離型が行われ、ベース部３０１'に開けられた排出穴３０１ａを介して溶媒が注入される。これにより、顎部３０２の内部の硬化物が溶解し、排出穴から溶解された硬化物が排出され、空洞部３０４が形成される。このようにして、図１８に示すように、人の顎部３０２に発生した腫瘍部３０６等を、医者等のユーザーが造形物３００の外側から観ることができる造形物３００を形成することができる。
【手続補正１４】
【補正対象書類名】明細書
【補正対象項目名】００８９
【補正方法】変更
【補正の内容】
【００８９】
上記実施形態では１つのプリントヘッド４１が設けられたが、複数のプリントヘッドが設けられていてもよい。その場合、バインダーを含まないカラーインク用のインクタンクを備えるプリントヘッドと、バインダーを含む透明インク用のインクタンクを備えるプリントヘッドとが設けられてもよい。
【手続補正１５】
【補正対象書類名】明細書
【補正対象項目名】００９３
【補正方法】変更
【補正の内容】
【００９３】
粉体がバインダー成分を含まず、インクもバインダー成分を含まない場合には、例えば、第２の液体材料として溶媒に可溶性の接着剤を吐出するプリントヘッドが造形装置１００に設けられることにより、空洞部２０４を形成する領域の粉体を硬化させることができる。すなわち、このヘッドは、硬化層を一時的に形成するための接着剤を吐出可能である。
【手続補正１６】
【補正対象書類名】図面
【補正対象項目名】図２
【補正方法】変更
【補正の内容】
【図２】
2013039694.tif 000001
【手続補正１７】
【補正対象書類名】図面
【補正対象項目名】図１４
【補正方法】変更
【補正の内容】
【図１４】
2013039694.tif 000002